(57)【要約】【課題】従来技術によれば、専用の携帯端末によってエレベータ監視端末の初期登録設定は行えるものの、専用の携帯端末が無しでは初期登録設定ができないため、作業員は常に専用の携帯端末を持ち歩かなければならない状況であった。【解決手段】建屋に表示器兼操作盤７を含むエレベータ機器を制御する制御盤８との間で通信可能に設けられた監視端末３が新設された時に、複数の監視端末と通信回線２を介して統括的に監視する監視センタ１から新設された監視端末３に、その固有情報を送信して初期登録設定を行うエレベータ監視端末の初期設定登録方法において、エレベータの表示器兼操作盤７により前記監視センタ１に通信回線２を介して新設された前記監視端末３に、その固有情報の送信を要求する固有情報要求信号を送信するよう構成した。【選択図】図１
2005314084.tif 000002
【特許請求の範囲】
【請求項１】
建屋に設置されたエレベータの各種設備の状態を監視する監視端末が新設された時に、通信回線を介して複数の監視端末を統括的に監視する監視センタから前記監視端末にその固有情報を送信して初期登録設定するエレベータ監視端末の初期設定登録方法において、エレベータの表示器兼操作盤（インジケータ）の操作により前記監視センタに通信回線を介して、新設された前期監視端末にその固有情報の送信を要求する固有情報要求信号を送信するようにしたことを特徴とするエレベータ監視端末の初期設定登録方法。
【請求項２】
表示器兼操作盤は、表示装置を具え、監視センタから通信回線を介して送信された監視端末の識別番号などの固有情報を記憶させる作業、所謂、立上げ作業と言われる初期設定登録に関する情報を、前記表示装置に表示するようにしたことを特徴とするエレベータ監視端末の初期設定登録装置。
【請求項３】
請求項２の記載において、
表示器兼操作盤は、監視端末に初期登録設定を行った後、前記監視端末に人為的に通信回線を介して監視センタに発報させた発報情報を、監視センタから通信回線を介して表示器兼操作盤に送信させ、表示装置に表示させる発報情報要求手段を有したことを特徴とするエレベータ監視端末の初期設定登録装置。
【発明の詳細な説明】
【技術分野】
【０００１】
本研究はエレベータの監視を行うエレベータ監視端末の初期設定登録方法及び初期設定登録装置に関する。
【背景技術】
【０００２】
現在、エレベータの各種設備の状態は、それらに設置された各種センサーにより検出し、その情報を監視端末が通信回線を通じて監視センタに送信し、そこで統括的に監視されている。このように、監視端末と監視センタ間の交信が通信回線を介して行われる場合には、互いに相手方を呼び出すための電話番号と相手方を特定するための識別番号などの固有情報をそれぞれに記憶させなければならない。
【０００３】
従来、監視端末に交信固有情報を記憶させるには、作業員が現場に出向き、専用の携帯端末を用いて行っている（特許文献１、２参照）。
【特許文献１】特開２０００−３２５７２公報（段落番号００８〜０２０、図１）
【特許文献２】特開２０００−６９５７４公報（段落番号００８〜０３１、図１）
【発明の開示】
【発明が解決しようとする課題】
【０００４】
上記従来技術によれば、エレベータ監視端末の初期登録設定は行えるものの、専用の携帯端末が無しでは初期登録設定ができないため、作業員は常に専用の携帯端末を持ち歩かなければならない状況であった。
【０００５】
本発明は、上記不都合を鑑みてなされたもので、その目的は、エレベータに常備されている表示器兼操作盤を用いてエレベータ監視端末の初期設定登録方法及び初期設定登録装置を提供することにある。
【課題を解決するための手段】
【０００６】
上記目的を達成するために、本発明のエレベータ監視端末の初期設定登録方法は建屋に設置されたエレベータの各種設備の状態を監視する監視端末が新設された時に、通信回線を介して複数の監視端末を統括的に監視する監視センタから前記監視端末にその固有情報を送信して初期登録設定するエレベータ監視端末の初期設定登録方法において、エレベータの表示器兼操作盤（インジケータ）の操作により前記監視センタに通信回線を介して、新設された前期監視端末にその固有情報の送信を要求する固有情報要求信号を送信するようにしたことを特徴としている。
【０００７】
また、本発明のエレベータ監視端末の初期設定登録装置は表示器兼操作盤に、表示装置を具え、監視センタから通信回線を介して送信された監視端末の識別番号などの固有情報を記憶させる作業、所謂、立上げ作業と言われる初期設定登録に関する情報を、前記表示装置に表示するようにしたことを特徴としている。
【発明の効果】
【０００８】
本発明のエレベータ監視端末の初期設定登録方法及び初期設定登録装置によれば、このように表示器兼操作盤を用いてエレベータ監視端末の初期登録設定を行えることができることから、作業員が常に専用の携帯端末を持ち歩く負担が低減できる。
【発明を実施するための最良の形態】
【０００９】
以下、本発明について図面を参照しながら説明する。図１は、本発明に係るエレベータ監視端末の初期設定登録装置の一実施形態の構成を示すブロック図である。なお、各図中、同一符号は同一又は相当部分を示す。
【００１０】
図１において、１は監視センタ、２は電話回線、３は電話回線を介して監視センタに接続される監視端末、４は建屋に設置されたエレベータのかご、５はかご内部に設けられた表示器兼操作盤、６は建屋の各階のエレベータホール（乗場）、７は乗場に設けられた表示器兼操作盤、８はエレベータの運転を制御する制御盤である。
【００１１】
また、同図において監視センタ１は処理装置１１と、ＲＯＭ１２と、ＲＡＭ１３と、入出力装置１４とを有する。なお、監視センタ１は入出力装置１４を通じて、顧客名、監視対象とされたエレベータの名称、エレベータの異常内容等の各種データを記憶する記憶部１５を有する。
【００１２】
さらに、同図において監視端末３は、処理装置３１とＲＯＭ３２と、ＲＡＭ３３と、入出力装置３４とデータ判定部３５を有する。
【００１３】
次に、表示器兼操作盤を用いたエレベータ監視端末の初期登録設定方法の一実施形態について図面を参照しながら説明する。なお、図２、図３及び図４はそれぞれ監視端末の監視マスタデータ受信処理、立上げ開始処理及び試験発報履歴送信処理のフローチャートである。また、同図において、（Ａ），（ｂ），（ｃ）はそれぞれ監視センタ１、監視端末３及び表示器兼操作盤（乗場）７のフローチャートであることを示す。
【００１４】
これらの図を参照して、新規監視端末の初期設定の動作を説明する。建屋に新規に監視端末３を設置した時には、当該監視端末３を監視可能状態にするために、まず、作業員はかご内表示器兼操作盤５と乗場表示器兼操作盤７を操作して監視端末３を介した監視センタ１を呼び出し初期設定の依頼を行う。図６に監視センタに初期設定の依頼をする時の手順を示す。
【００１５】
まず、かご内表示器兼操作盤５の保守スイッチをＯＮにし、灯スイッチをＯＦＦにする（Ｓ６１及びＳ６２）。
【００１６】
次に、かご内表示器兼操作盤５の開釦と閉釦を３秒間同時押しする（Ｓ６３）。
【００１７】
以上の手順を行うことで、監視端末３の初期設定を行える状態になり、乗場表示器兼操作盤７に固有の端末番号を入力する指示が表示される（Ｓ６４）。
【００１８】
次に、図２を参照して監視マスタ受信処理の動作を説明する。作業員は乗場表示器兼操作盤７に端末番号を入力する指示が表示されているのを確認後（ｃ１）、乗場表示器兼操作盤７の操作部を操作して、監視マスタ要求に必要な監視端末３の固有の端末番号（ビルコード）を入力する（ｃ２）。入力した端末番号はエレベータ制御盤８を介して監視端末３の入出力装置３４に送られ、処理装置３１によりＲＡＭ３３に一旦格納した後、予めＲＯＭ３２に記憶してある監視センタの電話番号に電話回線２を介して接続し、監視マスタ要求データを監視センタ１に送信する（ｂ１）。なお、この時の端末番号入力方法は乗場表示器兼操作盤７のUP釦で数字及びアルファベットをスクロールさせ、ＤＮ釦で数字又はアルファベットを決定する（図８）。また、UP釦及びＤＮ釦同時押しで数字又はアルファベットを削除するものとする。
【００１９】
次に、監視端末３は要求データが正常に送信できたか否かを判断し、正常に送信できたならば電話回線２の接続を一旦遮断する（ｂ２）。
【００２０】
監視センタ１では、入出力装置１４が監視マスタ要求データを受信したか否かを判断（Ａ１）、正常に受信できたならば処理装置１１に転送する。処理装置１１が監視マスタ要求データが監視端末３からのものであることを認識すると、記憶部１５に監視端末３の端末番号を検索させる。
【００２１】
該端末番号が記憶部１５から転送されると、処理装置１１は入出力装置１４より電話回線２を介して監視端末３を呼び出し、監視マスタデータを送信する（Ａ２）。そして、データの送信が正常に行われたか否かを判断し（Ａ３）、正常に終了したならば、監視センタ１の送信処理を終了する。なお、正常に終了しなかった場合はＡ１に戻り全ての処理をやり直す。監視端末３では、監視マスタデータを受信したか否かを判断し（ｂ３）、受信したら正常に受信したかを判断し（ｂ４）、エレベータ制御盤８を介して乗場表示器兼操作盤７に監視マスタデータを表示させる（ｃ３）。正常に受信しなかった場合は、ｂ１に戻り全ての処理をやり直す。なお、作業員は乗場表示器兼操作盤７に表示された監視マスタデータの内容を視認する。
【００２２】
こうして監視マスタデータの内容を確認した作業員は、図３に示すように、再び乗場表示器兼操作盤７の操作部を操作して、監視端末３を監視可能にするための初期設定データを送信させる指令を発する（ｃ４）。乗場表示器兼操作盤７を介して初期設定データを送信させる指令を受けた監視端末３は立上げ開始通知データを電話回線２を介して監視センタ１の入出力装置１４に送信する（ｂ５）。そして正常に送信できたか否かを判断して（ｂ６）、正常に送信できたならば監視端末３の処理を終了する。
【００２３】
監視センタ１では、立上げ開始通知データを受信したか否かを判断して（Ａ４）、受信したならば処理装置１１に転送する。処理装置１１は受信したデータが立上げ開始通知データであることを確認すると、記憶部１５から立上げを開始する監視端末３の端末番号データを検索し、その端末番号データを入出力装置１４に転送する。入出力装置１４は初期設定データを電話回線２を介して端末装置３に送信する（Ａ５）。そして、初期設定データの送信が正常に行われたか否かを判断し（Ａ６）、正常に終了したならば、監視センタ１の初期設定データ送信処理を終了する。なお、正常に終了しなかった場合はＡ４に戻り全ての処理をやり直す。初期設定データが送信された端末装置３では、その初期設定データを受信したか否かを判断し（ｂ７）、受信したならば、その初期設定が正常に終了したか否かを判断し（ｂ８）、正常に終了したならば、ＲＯＭ３２に予め記憶させてある例えば図９に示す「初期設定完了！！」等のメッセージを入出力装置３４を介して乗場表示器兼操作盤７に表示させ立上げ開始処理を終了する。これにより、作業員は初期設定実施結果の内容を確認することができる。
【００２４】
こうして、初期設定完了を確認した作業員は監視端末３の監視機能が正常に動作することを確認するために、人為的にエレベータを動作させて監視端末３に発報させる試験発報を実施する。図７に試験発報を実施する時の手順を示す。
【００２５】
まず、かご内表示器兼操作盤５の保守スイッチをＯＦＦにし、灯スイッチをＯＮにする（Ｓ７１及びＳ７２）。以上の手順を行うことで、監視端末３の試験発報を行える状態になり、乗場表示器兼操作盤７に試験発報中であることが表示される（Ｓ７３）。これにより、監視端末３はエレベータの動作に応じた発報を行う（Ｓ７４）。作業員は試験発報を実施した後、乗場表示器兼操作盤７の操作部を操作して、監視端末３が試験発報を行ったことを確認するために、試験発報履歴を要求する指令を入力する。
【００２６】
図４は新設監視端末の試験履歴送信処理のフローチャートである。作業員は、乗場表示器兼操作盤７の操作部を操作して、試験発報履歴データを送信させる指令を発する（ｃ６）。監視端末３は試験発報履歴要求の指令を入力装置３４を介して受けると、電話回線２を介して監視センタ１に試験発報履歴要求データを送信する（ｂ９）。そして、それが正常に送信できたか否かを判断して（ｂ１０）、正常に送信できたならば監視センタ１からのデータ送信を待つ。監視センタ１では、入出力装置１４を介して処理装置１１が試験発報履歴要求のデータを受信したか否かを判断して（Ａ７）、受信したならば、受信したデータが監視端末３からの試験発報履歴要求のデータであることを確認すると、記憶部１５から監視端末３の試験発報履歴データを読み出して、それを電話回線２を介して監視端末３に送信する（Ａ８）。そして、試験発報履歴データが正常に送信できたか否かを判断して（Ａ９）、正常に送信できたならば監視センタ１の処理を終了する。
【００２７】
監視端末３側では、試験発報履歴データを受信して（ｂ１１）、それを正常に受信したか否かを判断し（ｂ１２）、正常に受信したならば、ＲＡＭ３３に記憶してある発報履歴データとデータ判定部３５と一致するか判定し、一致したならば、ＲＯＭ３２に予め記憶させてある例えば図１０に示す「発報試験正常終了！！」等のメッセージを入出力装置３４を介して乗場表示器兼操作盤７に表示させる（ｃ７）。正常に受信しなかったならば、全ての処理を手順ｂ９に戻って始めからやり直す。また、受信した発報履歴データは入出力装置３４を介して乗場表示器兼操作盤７の表示部に表示することも可能である。これにより、作業員は自分で仕掛けた監視端末３の試験発報の履歴を視認して監視端末３が正常に試験発報したことを確認できる。試験発報の対象となる設備機器でありながら、未だ試験発報が行われていないものが見つかったら、未実施の設備機器に対する試験発報を実施する。こうして、試験発報の実施結果を確認しながら、作業員は試験発報の対象となる全ての設備機器について試験発報を実施する。
【００２８】
作業員が乗場表示器兼操作盤７に表示された「発報試験正常終了！！」等のメッセージを視認し、監視端末３の試験結果判定が正常であることを確認したときは、再び乗場表示器兼操作盤７の操作部を操作して立上げ対象の監視端末３のエレベータ動作の監視を開始させる指令を発する（ｃ８）。図５は新設監視端末の監視開始動作処理のフローチャートである。始めに、監視端末３は監視開始要求の指令を入力装置３４を介して受けると（ｂ１３）、電話回線２を介して監視センタ１に監視開始要求データを送信する。そして、それが正常に送信できたか否かを判断して（ｂ１４）、正常に送信できたならば監視端末３側の監視動作開始の処理を終了する。
【００２９】
監視センタ１は監視開始要求データが送信された入出力装置１４を介して処理装置１１は監視開始要求データを受信したか否かを判断して（Ａ１０）、受信したならばエレベータの監視を開始する（Ａ１１）。また、入出力装置１４は監視開始完了データを電話回線２を介して端末装置３に送信する（Ａ１２）。監視開始完了データが送信された端末装置３では、その監視開始完了データを受信したか否かを判断し（ｂ１５）、受信したならば、ＲＯＭ３２に予め記憶させてある例えば図１１に示す「監視開始正常終了！！」  等のメッセージを入出力装置３４を介して乗場表示器兼操作盤７に表示させ監視開始処理を終了する（ｃ９）。これにより、作業員はエレベータ監視端末の立上げが正常に実施できたことを確認することができる。
【００３０】
このように、本実施形態では新規の監視端末３の立上げ作業を行う場合に、監視端末３の初期設定から監視開始に至る作業を現場の作業員が乗場表示器兼操作盤７の操作部を操作するだけで実行できることから、監視センタ１の管制員の協力作業業務負担を著しく低減することができる。また、乗場表示器兼操作盤７の操作部を操作するだけで実行できることから監視端末の新規立上げに必要な特別な携帯端末等の機器を持参することもないため作業者の労力を低減でき、更に立上げ作業に要する時間を短縮できる。
【図面の簡単な説明】
【００３１】
【図１】本発明に係るエレベータ監視端末の初期設定登録装置の一実施形態の構成を示すブロック図である。
【図２】監視端末の監視マスタデータ受信処理のフローチャートである。
【図３】監視端末の立上げ開始処理のフローチャートである。
【図４】監視端末の試験発報履歴送信処理のフローチャートである。
【図５】監視端末の監視動作開始処理のフローチャートである。
【図６】監視端末の端末番号入力処理のフローチャートである。
【図７】監視端末の試験発報開始処理のフローチャートである。
【図８】端末番号入力時の乗場表示器兼操作盤の表示形態である。
【図９】初期設定完了時の乗場表示器兼操作盤の表示形態である。
【図１０】発報試験完了時の乗場表示器兼操作盤の表示形態である。
【図１１】監視開始完了時の乗場表示器兼操作盤の表示形態である。
【符号の説明】
【００３２】
１     監視センタ
２     電話回線
３     監視端末
４     かご
５   、６  乗場
７     乗場表示器兼操作盤
８     エレベータ制御盤かご内表示器兼操作盤
【図１】
2005314084.tif 000003
【図２】
2005314084.tif 000004
【図３】
2005314084.tif 000005
【図４】
2005314084.tif 000006
【図５】
2005314084.tif 000007
【図６】
2005314084.tif 000008
【図７】
2005314084.tif 000009
【図８】
2005314084.tif 000010
【図９】
2005314084.tif 000011
【図１０】
2005314084.tif 000012
【図１１】
2005314084.tif 000013